(57)【特許請求の範囲】
【請求項１】
被写体を撮像して画像データを記憶するデジタルカメラにおいて、
デジタルカメラの起動時に、挿脱可能に設けられた第１の記録媒体の使用の可否を含む初期チェック項目を判定する初期判定手段と、
撮像動作の開始を指示する撮像指示部材と、
画像データを一時的に格納するための記憶手段と、
を備え、
デジタルカメラの起動時に、前記初期判定手段による前記第１の記録媒体の判定前に、前記撮像指示部材により撮像動作開始の指示があった場合は、撮像動作を優先して撮像した画像データを前記記憶手段に格納した後、前記初期判定手段による前記第１の記録媒体の判定を行い、前記第１の記録媒体が使用可能である場合には、前記記憶手段に格納した画像データを前記第１の記録媒体に記憶することを特徴とするデジタルカメラ。
【請求項２】
被写体を撮像して画像データを記憶するデジタルカメラにおいて、
デジタルカメラの起動時に、挿脱可能に設けられた第１の記録媒体の使用の可否を含む初期チェック項目を判定する初期判定手段と、
撮像動作の開始を指示する撮像指示部材と、
画像データを一時的に格納するための記憶手段と、
を備え、
デジタルカメラの起動時に、前記初期判定手段による前記第１の記録媒体の判定前に、前記撮像指示部材により撮像動作の開始の指示があった場合は、前記初期判定手段は、前記第１の記録媒体の１ゾーンについてのみ判定を行い、当該１ゾーンが使用可能である場合には撮像を行って撮像した画像データを当該１ゾーンに記録し、その後、前記初期判定手段は前記第１の記録媒体の他の部分について判定を行うことを特徴とするデジタルカメラ。
【請求項３】
被写体を撮像して画像データを記憶するデジタルカメラにおいて、
デジタルカメラの起動時に、挿脱可能に設けられた第１の記録媒体の使用の可否を含む初期チェック項目を判定する初期判定手段と、
撮像動作の開始を指示する撮像指示部材と、
内部に設けられ、挿脱不可能な第２の記録媒体と、
画像データを一時的に格納するための記憶手段と、
撮像した画像データの記録先として、前記第１の記録媒体または前記第２の記録媒体のいずれか一方の選択を指示する記録媒体指示部材と、
を備え、
前記記録媒体指示部材により前記第１の記録媒体が選択された場合において、デジタルカメラの起動時に、前記初期判定手段による第１の記録媒体の判定終了前に、前記撮像指示部材により撮像動作の開始の指示があった場合は、撮像動作を優先して撮像した画像データを前記記憶手段に格納した後、前記初期判定手段による前記第１の記録媒体の判定を行い、当該第１の記録媒体が使用可能である場合には、前記記憶手段に格納した画像データを前記第１の記録媒体に記憶することを特徴とするデジタルカメラ。
【請求項４】
前期初期判定手段により前記第１の記録媒体が使用不可能であると判定された場合には、前記記憶手段に格納された画像データを、前記第２の記録媒体に記録することを特徴とする請求項３に記載のデジタルカメラ。
【請求項５】
被写体を撮像して画像データを記憶するデジタルカメラにおいて、
デジタルカメラの起動時に、挿脱可能に設けられた第１の記録媒体の使用の可否を含む初期チェック項目を判定する初期判定手段と、
撮像動作の開始を指示する撮像指示部材と、
内部に設けられ、挿脱不可能な第２の記録媒体と、
画像データを一時的に格納するための記憶手段と、
撮像した画像データの記録先として、前記第１の記録媒体または前記第２の記録媒体のいずれか一方の選択を指示する記録媒体指示部材と、
を備え、
前期記録媒体指示部材により前記第１の記録媒体が選択された場合において、デジタルカメラの起動時に、前記初期判定手段による第１の記録媒体の判定終了前に、前記撮像指示部材により撮像動作の開始の指示があった場合は、撮像動作を優先して撮像した画像データを前記第２の記録媒体に格納した後、前記初期判定手段による前記第１の記録媒体の判定を行い、当該第１の記録媒体が使用可能である場合には、前記第２の記録媒体に格納した画像データを前記第１の記録媒体に記憶することを特徴とするデジタルカメラ。
【請求項６】
前期初期判定手段により前記第１の記録媒体が使用不可能であると判定された場合には、前記第２の記録媒体に格納された画像データを保持することを特徴とする請求項５に記載のデジタルカメラ。
【請求項７】
前記第１の記録媒体はスマートメディアであることを特徴とする請求項１〜６のいずれか一つに記載のデジタルカメラ。
【請求項８】
前記第１の記録媒体はコンパクトフラッシュであることを特徴とする請求項１、３〜６のいずれか一つに記載のデジタルカメラ。
【発明の詳細な説明】
【０００１】
【発明の属する技術分野】
この発明は、デジタルカメラに関し、詳細には、撮影した画像データを記録媒体に記録するデジタルカメラに関する。
【０００２】
【従来の技術】
図４は、メモリカードに画像データを記録する形式の従来のデジタルカメラの一例を示すブロック図である。同図に示すデジタルカメラでは、レリーズボタン１０の操作によって撮影動作が開始する。まず、被写体からの光は不図示のレンズを通り、不図示のシャッタ、絞りにより適正光量に制御されてから撮像素子であるＣＣＤ１に至る。被写体からの光はこのＣＣＤ１により光電変換され、信号処理回路２によりこの受信信号にガンマ補正等の処理が施されて画像信号とされる。画像信号はＡ／Ｄ変換回路３によりデジタル信号に変換され、フレームメモリ４内に一旦格納される。
【０００３】
フレームメモリ４内に格納された画像信号データは、所定の単位毎にまとめられて圧縮処理回路５に送出され、この圧縮処理回路５により既知のデータ圧縮処理が施された後、カードＩ／Ｆ回路６を介してメモリカード７内の不図示のメモリ内に記憶される。このメモリカード７はデジタルカメラと別体に設けられており、このデジタルカメラに対して挿脱可能とされている。なお、制御回路８は上述の各回路の制御を行い、電源回路９は各回路に電源電圧を供給する。
【０００４】
制御回路８は、レリーズボタン１０が操作されると、メモリカード７への画像データ記録に先だって、このメモリカード７の状態をチエックする。具体的には、制御回路８はつぎのような項目についてメモリカード７のチエックを行う。
【０００５】
▲１▼  メモリカードの挿入の有無
▲２▼  メモリカードの種類
▲３▼  メモリカードのアクセススピード
▲４▼  メモリカードのメモリ容量
▲５▼  バックアップ用電源の電圧
▲６▼  ライトプロテクトスイッチの状態
▲７▼  メモリカードへのフォーマットの有無
▲８▼  記録格納な残りの駒数（あるいは残りのメモリ容量）
【０００６】
上記チック項目の各項目についてそれぞれ説明する。
▲１▼  メモリカードの挿入の有無
メモリカードが挿入されていない場合は、画像データの記録ができないので、警告表示を行って撮像動作を禁止しなければならない。
【０００７】
▲２▼  メモリカードの種類
メモリにはＳＲＡＭ、ＤＲＡＭ、マスクＲＯＭ、ＯＴ（ワンタイム）ＰＲＯＭ、ＥＥＰＲＭ等の種類があり、たとえば、マスクＲＯＭのように電気的書込が不可能なメモリを使用したメモリカードはデジタルカメラに使用できない。また、書込可能でもデジタルカメラ自体がサポートしないメモリカードもある。
【０００８】
▲３▼  メモリカードのアクセススピード
メモリカードはマネジメント回路等で定められるアクセススピードを有し、一方、デジタルカメラもクロック速度等で定められるアクセススピードを有する。メモリカード側のアクセススピードがデジタルカメラ側のアクセススピードよりも遅し場合はデータの授受が確実に行われないため、このようなメモリカードは使用できない。
【０００９】
▲４▼  メモリカードのメモリ容量
メモリカードのメモリ容量は１ＭＢ（メガバイト）、２Ｍバイト等種々あるが、デジタルカメラ側に最小メモリ容量の制約がある場合は、それ未満のメモリ容量を有するメモリカードは使用できない。
【００１０】
▲５▼  バックアップ用電源の電圧
メモリカード内にバックアップ用の電源（バッテリ）が備えられている場合、電源電圧が低下しているときには記録された内容のバックアップ動作が保証できないため、記録動作を禁止しなければならない。
【００１１】
▲６▼  ライトプロテクトスイッチの状態
メモリカードがライトプロテクト（書込禁止／許容）スイッチを備えている場合、このスイッチがライトプロテクト（書込禁止）側に設定されているときには、記録動作を禁止しなければならない。
【００１２】
▲７▼  メモリカードへのフォーマットの有無
メモリカードには画像データの他に管理データ（各画像データの記録場所やデータの大きさ等の情報）が記録されているが、これらデータをメモリカード内に記録する場所や管理データの初期値は各カメラ毎に定められている。データを記録する際のこのようなルールをフォーマットと称する。メモリカードは１回フォーマットがなされれば、基本的には同一のフォーマットを有する他のカメラに使用されても画像データの記録が可能であるが、使用しているカメラと異なるフォーマットを有するカードに記録された画像データは、管理データが正確に再生できないために結果として再生が不能となる恐れがある。従って、使用するカメラに適合したフォーマットがなされているか否かを判定する必要が生じる。なお、未フォーマットのカードは使用前に必ずフォーマットする必要がある。
【００１３】
▲８▼  記録格納な残りの駒数（あるいは残りのメモリ容量）
画像データを記録する度に、記録可能な残りの駒数が減少し、残り駒数が０になったら記録動作を禁止しなければならない。
【００１４】
上述の各チック項目は、その内容によって以下の二つのグループに大別することができる。第１のグループとして、メモリカードがカメラに挿入されているとき一回だけチエックすれば良い項目。画像データの記録・消去、メモリカードに対する操作および時間経過等の要因で変化しない項目については、メモリカードが挿入されたとき一回だけチエックすれば良く、そのカードが挿入されている限りは重ねてチエックする必要がない。これに該当する上述の項目としては、▲２▼、▲３▼、▲４▼、▲７▼である。
【００１５】
但し、メモリカードがカメラから抜去された後に再びメモリカードが挿入された場合は、異なるメモリカードが挿入されるおそれもあるので、再度チエックする必要がある。なお、メモリカード内の画像データを全て消去する場合、あるいはメモリカードのフォーマットを行う場合には、これに伴って残り駒数を初期化せねばならず、この際にメモリカードのメモリ容量▲４▼を知る必要があるが、これはメモリカードのチエックには相当しない。
【００１６】
第２のグループとしては、撮像動作前に必ずチエックしなければならない項目がある。上述の要因で変化し得る項目については、撮像動作の直前に必ずチエックしなければならない。これに該当する上述の項目としては、▲１▼、▲５▼、▲６▼、▲８▼である。
【００１７】
このように、メモリカードに対するチエック項目の中には、メモリカードがカメラに挿入されたとき一回だけチエックすれば良い項目も存在するが、上述の従来のデジタルデジタルカメラにおいては、画像データを記録する直前に、その都度全ての▲１▼〜▲８▼についてメモリカードのチエックを行っていたので、チエックの時間だけ撮像動作全体の時間がかかるとともに、カメラの制御シーケンスが複雑になっていた。
【００１８】
上述の問題を解決するための技術として、たとえば、特開平６−６６６５号公報の「デジタルカメラ」が提案されている。図５は、特開平６−６６６５号公報の「デジタルカメラ」のブロック図である。
【００１９】
かかる「デジタルカメラ」は、同図に示す如く、挿脱検出機構２０によりメモリカード１７の挿入が検出されてからレリーズボタン２３による最初の撮像動作までの間に、メモリカード１７の使用の可否を含む初期チエック項目を判定する初期判定手段（制御回路１８）と、この初期判定手段（制御回路１８）の判定結果が格納される不揮発性メモリ２１と、レリーズボタン２３による撮像動作に応じて、不揮発性メモリ２１に格納された判定結果を読み出してメモリカード１７への画像データの記録の可否を含む撮像時チエック項目を判定する撮影時判定手段（制御回路１８）とを備えている。
【００２０】
【発明が解決しようとする課題】
しかしながら、上述の特開平６−６６６５号公報の「デジタルカメラ」にあっては、一度メモリカードを挿脱した後の最初の初期判定では、初期チエック項目を全て判定した後に撮影が可能となるため、電源を起動してから実際に記録動作が可能になるまで長時間要するという問題がある。
【００２１】
本発明は、上記に鑑みてなされたものであり、電源を起動してから実際に記録動作が可能になるまでのタイムラグを低減することが可能なデジタルカメラを提供することを目的とする。
【００２２】
【課題を解決するための手段】
上述した課題を解決するために、請求項１にかかる発明は、被写体を撮像して画像データを記憶するデジタルカメラにおいて、デジタルカメラの起動時に、挿脱可能に設けられた第１の記録媒体の使用の可否を含む初期チェック項目を判定する初期判定手段と、撮像動作の開始を指示する撮像指示部材と、画像データを一時的に格納するための記憶手段とを備え、デジタルカメラの起動時に、前記初期判定手段による前記第１の記録媒体の判定前に、前記撮像指示部材により撮像動作開始の指示があった場合は、撮像動作を優先して撮像した画像データを前記憶手段に格納した後、前記初期判定手段による前記第１の記録媒体の判定を行い、前記第１の記録媒体が使用可能である場合には、前記記憶手段に格納した画像データを前記第１の記録媒体に記憶するものである。
【００２３】
この発明によれば、デジタルカメラの起動時に、初期判定手段による挿脱可能な第１の記録媒体の判定前に、撮像指示部材により撮像動作開始の指示があった場合は、撮像動作を優先して撮像した画像データを記憶手段に格納した後、初期判定手段による当該第１の記録媒体の判定を行い、当該第１の記録媒体が使用可能である場合には、記憶手段に格納した画像データを挿脱可能な記録媒体に記憶する。
【００２４】
また、請求項２にかかる発明は、被写体を撮像して画像データを記憶するデジタルカメラにおいて、デジタルカメラの起動時に、挿脱可能に設けられた第１の記録媒体の使用の可否を含む初期チェック項目を判定する初期判定手段と、撮像動作の開始を指示する撮像指示部材と、画像データを一時的に格納するための記憶手段とを備え、デジタルカメラの起動時に、前記初期判定手段による前記第１の記録媒体の判定前に、前記撮像指示部材により撮像動作の開始の指示があった場合は、前記初期判定手段は、前記第１の記録媒体の１ゾーンについてのみ判定を行い、当該１ゾーンが使用可能である場合には撮像を行って撮像した画像データを当該１ゾーンに記録し、その後、前記初期判定手段は前記第１の記録媒体の他の部分について判定を行うものである。
【００２５】
この発明によれば、デジタルカメラの起動時に、初期判定手段による挿脱可能な第１の記録媒体の判定前に、撮像指示部材により撮像動作の開始の指示があった場合は、初期判定手段は、当該第１の記録媒体の１ゾーンについてのみ判定を行い、当該１ゾーンが使用可能である場合には撮像を行って撮像した画像データを当該１ゾーンに記録し、その後、初期判定手段は第１の記録媒体の他の部分について初期判定を行う。
【００２６】
また、請求項３にかかる発明は、被写体を撮像して画像データを記憶するデジタルカメラにおいて、デジタルカメラの起動時に、挿脱可能に設けられた第１の記録媒体の使用の可否を含む初期チェック項目を判定する初期判定手段と、撮像動作の開始を指示する撮像指示部材と、内部に設けられ、挿脱不可能な第２の記録媒体と、画像データを一時的に格納するための記憶手段と、撮像した画像データの記録先として、前記第１の記録媒体または前記第２の記録媒体のいずれか一方の選択を指示する記録媒体指示部材とを備え、前記記録媒体指示部材により前記第１の記録媒体が選択された場合において、デジタルカメラの起動時に、前記初期判定手段による第１の記録媒体の判定終了前に、前記撮像指示部材により撮像動作の開始の指示があった場合は、撮像動作を優先して撮像した画像データを前記記憶手段に格納した後、前記初期判定手段による前記第１の記録媒体の判定を行い、当該第１の記録媒体が使用可能である場合には、前記記憶手段に格納した画像データを前記第１の記録媒体に記憶するものである。
【００２７】
この発明によれば、記録媒体指示部材により挿脱可能な第１の記録媒体が選択された場合において、デジタルカメラの起動時に、初期判定手段による当該第１の記録媒体の判定終了前に、撮像指示部材により撮像動作の開始の指示があった場合は、撮像動作を優先して撮像した画像データを記憶手段に格納した後、初期判定手段による当該第１の記録媒体の判定を行い、当該第１の記録媒体が使用可能である場合には、記憶手段に格納した画像データを当該第１の記録媒体に記憶する。
【００２８】
また、請求項４にかかる発明は、請求項３に記載の発明において、前期初期判定手段により前記第１の記録媒体が使用不可能であると判定された場合には、前記記憶手段に格納された画像データを、前記第２の記録媒体に記録するものである。
【００２９】
また、請求項５にかかる発明は、被写体を撮像して画像データを記録するデジタルカメラにおいて、デジタルカメラの起動時に、挿脱可能に設けられた第１の記録媒体の使用の可否を含む初期チェック項目を判定する初期判定手段と、撮像動作の開始を指示する撮像指示部材と、内部に設けられ、挿脱不可能な第２の記録媒体と、画像データを一時的に格納するための記憶手段と、撮像した画像データの記録先として、前記第１の記録媒体または前記第２の記録媒体のいずれか一方の選択を指示する記録媒体指示部材とを備え、前期記録媒体指示部材により前記第１の記録媒体が選択された場合において、デジタルカメラの起動時に、前記初期判定手段による第１の記録媒体の判定終了前に、前記撮像指示部材により撮像動作の開始の指示があった場合は、撮像動作を優先して撮像した画像データを前記第２の記録媒体に格納した後、前記初期判定手段による前記第１の記録媒体の判定を行い、当該第１の記録媒体が使用可能である場合には、前記第２の記録媒体に格納した画像データを前記第１の記録媒体に記憶するものである。
【００３０】
この発明によれば、記録媒体指示部材により挿脱可能な第１の記録媒体が選択された場合において、デジタルカメラの起動時に、初期判定手段による当該第１の記録媒体の判定終了前に、撮像指示部材により撮像動作の開始の指示があった場合は、撮像動作を優先して撮像した画像データを挿脱不可能な第２の記録媒体に格納した後、初期判定手段による第１の記録媒体の判定を行い、当該第１の記録媒体が使用可能である場合には、第２の記録媒体に格納した画像データを第１の記録媒体に記憶する。
【００３１】
また、請求項６にかかる発明は、請求項５に記載の発明において、前期初期判定手段により前記第１の記録媒体が使用不可能であると判定された場合には、前記第２の記録媒体に格納された画像データを保持するものである。
【００３２】
また、請求項７にかかる発明は、請求項１〜６のいずれか一つに記載のデジタルカメラにおいて、前記第１の記録媒体はスマートメディアであることとした。
【００３３】
また、請求項８にかかる発明は、請求項１、３〜６のいずれか一つに記載のデジタルカメラにおいて、前記第１の記録媒体はコンパクトフラッシュであることとした。
【００３４】
【発明の実施の形態】
以下に添付図面を参照して、この発明にかかるデジタルカメラの好適な実施の形態を詳細に説明する。
【００３５】
図１は、本発明によるデジタルカメラの一実施の形態を示すブロック図である。同図において、１００はデジタルカメラを示しており、このデジタルカメラ１００は、被写体を結像する撮影レンズ１０１、結像した被写体像を画像データに変換する撮像素子１０２、画像データに各種画像処理を施す画像処理回路１０３、ＲＯＭに格納された各種制御プログラムに従って全体の動作を制御する制御回路１０４、たとえばＤＲＡＭからなり、画像データを一時的に格納するための一時記憶メモリ１０５、たとえばＳＤＲＡＭからなり、内部に設けられかつ挿脱不可能に設けられた挿脱不可能記録媒体１０６、たとえばスマートメディアやコンパクトフラッシュからなり、挿脱可能に設けられた挿脱可能記録媒体１０７、画像データに基づく画像を表示するための表示部１０８、撮影した画像データの記録先として、挿脱不可能記録媒体１０６または挿脱可能記録媒体１０７のいずれか一方の選択を指示するための記録媒体指示部材１０９、撮影動作の開始を指示する撮像動作開始指示部材１１０、デジタルカメラの電源のＯＮ／ＯＦＦを指示する電源オン指示部材１１１を備えている。
【００３６】
上述の制御回路１０４は、デジタルカメラの起動時（電源ＯＮ時）に、挿脱可能記録媒体１０８の使用の可否を含む初期チェック項目を判定する初期判定手段として機能する。
【００３７】
図２は、制御回路１０４により実行される挿脱可能記録媒体１０７の初期判定処理を説明するためのフローチャートである。図２を参照して、制御回路１０４により実行される挿脱可能記録媒体１０７の初期判定処理を説明する。以下の説明では、記録媒体指示部材１０９により、撮影した画像データの記録先として挿脱可能記録媒体１０７が選択されている場合を説明する。
【００３８】
図２において、まず、電源オン指示部材１１０により電源オンが指示されると、制御回路１０４は、デジタルカメラの各部に電源を供給する（ステップＳ１００）。そして、制御回路１０４は、挿脱可能記録媒体１０７の初期判定を開始する（ステップＳ１０１）。挿脱可能記録媒体１０７がスマートメディアである場合には、▲１▼チップＩＤ確認（ハード）、▲２▼ＳＳＦＤＣ規格確認（タプル確認）、▲３▼物理ブロック確認（物理／論理テーブル作成）、▲４▼ＤＯＳ確認、▲５▼画像ファイル確認が行われる。また、挿脱可能記録媒体１０７がコンパクトフラッシュである場合には、▲１▼カード情報確認（タプル確認）、▲２▼ＡＴＡ  ＩＤ確認（ＡＴＡ規格）、▲３▼カードセットアップ（カードモードセット）、▲４▼ＤＯＳ確認、▲５▼画像ファイル確認が行われる。
【００３９】
ついで、制御回路１０４は、撮像動作開始指示部材１１０により撮像動作開始指示があるか否かを判断する（ステップＳ１０２）。撮像動作開始指示部材１１０により撮像動作開始指示があった場合には、制御回路１０４は、挿脱可能記録媒体１０７の初期判定を中断する（ステップＳ１０６）。そして、制御回路１０４は撮影動作を実行させる（ステップＳ１０７）。具体的には、撮像レンズ１０１で結像した被写体像を、撮像素子１０２で画像データに変換し、画像処理回路１０３でこの画像データに対して画像処理を施し、画像処理後の画像データを一時記憶メモリ１０５に一旦記憶する。
【００４０】
そして、画像データを一時記憶メモリ１０５に記憶後、制御回路１０４は、初期判定を続行する（ステップＳ１０９）。つぎに、制御回路１０４は、初期判定の結果、挿脱可能記録媒体１０７が使用可能であるか否かを判断する（ステップＳ１１０）。挿脱可能記録媒体１０７が使用可能であると判断した場合には、一時記憶メモリ１０５に格納されている画像データを挿脱可能記録媒体１０７に記憶する（ステップＳ１１１）。他方、挿脱可能記録媒体１０７が使用不可能であると判断した場合には、一時記憶メモリ１０５に格納されている画像データを挿脱不可能記録媒体１０６に記憶する（ステップＳ１１２）。この際、表示部１０８に挿脱可能記録媒体１０７が使用不可能である旨の警告表示を行う（ステップＳ１１３）。
【００４１】
また、上記ステップＳ１０２において、撮像動作開始指示部材１１０により撮像動作開始指示がなかった場合には、制御回路１０４は、初期判定をそのまま実行し（ステップＳ１０３）、初期判定が終了すると、制御回路１０４は、初期判定の結果、挿脱可能記録媒体１０７が使用可能であるか否かを判断する（ステップＳ１０４）。挿脱可能記録媒体１０７が使用可能であると判断した場合には当該フローを終了する一方、挿脱可能記録媒体１０７が使用不可能であると判断した場合には、表示部１０８に挿脱可能記録媒体１０７が使用不可能である旨の警告表示を行う（ステップＳ１０５）。
【００４２】
上記処理によれば、記録媒体指示部材１０９により、挿脱可能記録媒体１０７が選択されている場合において、制御回路１０４はデジタルカメラの起動時の挿脱可能記録媒体１０７の初期判定前に、撮像動作指示部材１１０により撮像動作の開始の指示があった場合は、撮像動作を優先して撮像を行い、撮像した画像データを一時記憶メモリ１０５に格納した後、挿脱可能記録媒体１０７の初期判定を行い、挿脱可能記録媒体１０７が使用可能である場合には、一時記憶メモリ１０５に格納した画像データを挿脱可能記録媒体１０７に記憶することとしたので、初期判定の終了を待たずに撮影を行うことができ、電源を起動してから実際に記録動作が可能になるまでのタイムラグを低減することが可能となる。
【００４３】
また、挿脱可能記録媒体１０７が使用可能である場合には、一時記憶メモリ１０５に格納された画像データを、挿脱不可能記録媒体１０６に記録することとしたので、ユーザが撮影機会を逃すことを防止できる。
【００４４】
なお、制御回路１０４は、挿脱可能記録媒体１０７が、たとえばスマートメディアである場合には、デジタルカメラの起動時に、挿脱可能記録媒体１０７の判定前に、撮像動作開始指示部材１１０により撮像動作の開始の指示があった場合は、挿脱可能記録媒体１０７の１ゾーン（ＭＡＸ１６ＭＢ）についてのみ判定を行い、当該１ゾーンが使用可能である場合には撮像を行って撮像した画像データを当該１ゾーンに記録し、その後、挿脱可能記録媒体１０７の残りのゾーンについて初期判定を行うことにしても良い。
【００４５】
これにより、上述の▲３▼物理ブロック確認（物理／論理テーブル作成）を省くことができ、画像データを記録するエリアを高速に判定することが可能となる。付言すると、スマートメディアは、２，４，８，１６、３２，６４，１２８ＭＢのものがあるが、かかる方法は高容量のカードに特に有効である。
【００４６】
なお、上記フローでは画像データを一時記憶メモリ１０５に一旦格納する構成について説明したが、図３に示すように、画像データを挿脱不可能記録媒体１０６に一旦格納することにしても良い。図３は制御回路１０４により実行される挿脱可能記録媒体１０７の初期判定処理の他の例を説明するためのフローチャートである。
【００４７】
図３を参照して、制御回路１０４により実行される挿脱可能記録媒体１０７の初期判定処理の他の例を説明する。以下の説明では、記録媒体指示部材１０９により、撮影した画像データの記録先として挿脱可能記録媒体１０７が選択されている場合を説明する。
【００４８】
図３において、まず、電源オン指示部材１１０により電源オンが指示されると、制御回路１０４は、デジタルカメラの各部に電源を供給する（ステップＳ２００）。そして、制御回路１０４は、挿脱可能記録媒体１０７の初期判定を開始する（ステップＳ２０１）。挿脱可能記録媒体１０７がスマートメディアである場合には、▲１▼チップＩＤ確認（ハード）、▲２▼ＳＳＦＤＣ規格確認（タプル確認）、▲３▼物理ブロック確認（物理／論理テーブル作成）、▲４▼ＤＯＳ確認、▲５▼画像ファイル確認が行われる。また、挿脱可能記録媒体１０７がコンパクトフラッシュである場合には、▲１▼カード情報確認（タプル確認）、▲２▼ＡＴＡ  ＩＤ確認（ＡＴＡ規格）、▲３▼カードセットアップ（カードモードセット）、▲４▼ＤＯＳ確認、▲５▼画像ファイル確認が行われる。
【００４９】
ついで、制御回路１０４は、撮像動作開始指示部材１１０により撮像動作開始指示があるか否かを判断する（ステップＳ２０２）。撮像動作開始指示部材１１０により撮像動作開始指示があった場合には、制御回路１０４は、初期判定を中断する（ステップＳ２０６）。そして、制御回路１０４は撮影動作を実行させる（ステップＳ２０７）。具体的には、撮像レンズ１０１で結像した被写体像を、撮像素子１０２で画像データに変換し、画像処理回路１０３でこの画像データに対して画像処理を施し、画像処理後の画像データを挿脱不可能記録媒体１０６に一旦記憶する。
【００５０】
そして、画像データを挿脱不可能記録媒体１０６に記憶後、制御回路１０４は、初期判定を続行する（ステップＳ２０９）。つぎに、制御回路１０４は、初期判定の結果、挿脱可能記録媒体１０７が使用可能であるか否かを判断する（ステップＳ２１０）。挿脱可能記録媒体１０７が使用可能であると判断した場合には、挿脱不可能記録媒体１０６に格納されている画像データを挿脱可能記録媒体１０７に記憶する（ステップＳ２１１）。他方、挿脱可能記録媒体１０７が使用不可能であると判断した場合には、挿脱不可能記録媒体１０６に記憶されている画像データを保持するとともに、表示部１０８に挿脱可能記録媒体１０７が使用不可能である旨の警告表示を行う（ステップＳ２１２）。
【００５１】
また、上記ステップＳ２０２において、撮像動作開始指示部材１１０により撮像動作開始指示がなかった場合には、制御回路１０４は、初期判定をそのまま実行し（ステップＳ２０３）、初期判定が終了すると、制御回路１０４は、初期判定の結果、挿脱可能記録媒体１０７が使用可能であるか否かを判断する（ステップＳ２０４）。挿脱可能記録媒体１０７が使用可能であると判断した場合には当該フローを終了する一方、挿脱可能記録媒体１０７が使用不可能であると判断した場合には、表示部１０８に挿脱可能記録媒体１０７が使用不可能である旨の警告表示を行う（ステップＳ２０５）。
【００５２】
上記処理によれば、記録媒体指示部材１０９により、挿脱可能記録媒体１０７が選択されている場合において、制御回路１０４はデジタルカメラの起動時の挿脱可能記録媒体１０７の初期判定前に、撮像動作指示部材１１０により撮像動作の開始の指示があった場合は、撮像動作を優先して撮像を行い、撮像した画像データを挿脱不可能記録媒体１０６に格納した後、挿脱可能記録媒体１０７の初期判定を行い、挿脱可能記録媒体１０７が使用可能である場合には、挿脱不可能記録媒体１０６に格納した画像データを挿脱可能記録媒体１０７に記憶することとしたので、初期判定の終了を待たずに撮影を行うことができ、電源を起動してから実際に記録動作が可能になるまでのタイムラグを低減することが可能となる。
【００５３】
また、挿脱可能記録媒体１０７が使用不可能である場合には、挿脱不可能記録媒体１０６に記憶した画像データを保持することとしたので、ユーザが撮影機会を逃すことを防止できる。
【００５４】
本発明は、上記実施の形態に限られるものではなく、発明の要旨を変更しない範囲で適宜変形して実行可能である。
【００５５】
【発明の効果】
以上説明したとおり、請求項１にかかる発明によれば、デジタルカメラの起動時に、初期判定手段による挿脱可能な第１の記録媒体の判定前に、撮像指示部材により撮像動作開始の指示があった場合は、撮像動作を優先して撮像した画像データを記憶手段に格納した後、初期判定手段による当該第１の記録媒体の判定を行い、当該第１の記録媒体が使用可能である場合には、記憶手段に格納した画像データを挿脱可能な記録媒体に記憶することとしたので、初期判定の終了を待たずに撮影を行うことができ、電源を起動してから実際に記録動作が可能になるまでのタイムラグを低減することが可能となる。
【００５６】
また、請求項２にかかる発明によれば、デジタルカメラの起動時に、初期判定手段による挿脱可能な第１の記録媒体の判定前に、撮像指示部材により撮像動作の開始の指示があった場合は、初期判定手段は、当該第１の記録媒体の１ゾーンについてのみ判定を行い、当該１ゾーンが使用可能である場合には撮像を行って撮像した画像データを当該１ゾーンに記録し、その後、初期判定手段は第１の記録媒体の他の部分について初期判定を行うこととしたので、電源を起動してから実際に記録動作が可能になるまでのタイムラグを低減することが可能となる。
【００５７】
また、請求項３にかかる発明によれば、記録媒体指示部材により挿脱可能な第１の記録媒体が選択された場合において、デジタルカメラの起動時に、初期判定手段による当該第１の記録媒体の判定終了前に、撮像指示部材により撮像動作の開始の指示があった場合は、撮像動作を優先して撮像した画像データを記憶手段に格納した後、初期判定手段による当該第１の記録媒体の判定を行い、当該第１の記録媒体が使用可能である場合には、記憶手段に格納した画像データを当該第１の記録媒体に記憶することとしたので、初期判定の終了を待たずに撮影を行うことができ、電源を起動してから実際に記録動作が可能になるまでのタイムラグを低減することが可能となる。
【００５８】
また、請求項４にかかる発明によれば、請求項３に記載の発明において、初期判定手段により第１の記録媒体が使用不可能であると判定された場合には、記憶手段に格納された画像データを、挿脱不可能な第２の記録媒体に記録することとしたので、請求項３に記載の発明の効果に加えて、ユーザが撮影機会を逃すことを防止できる。
【００５９】
また、請求項５にかかる発明によれば、記録媒体指示部材により挿脱可能な第１の記録媒体が選択された場合において、デジタルカメラの起動時に、初期判定手段による当該第１の記録媒体の判定終了前に、撮像指示部材により撮像動作の開始の指示があった場合は、撮像動作を優先して撮像した画像データを挿脱不可能な第２の記録媒体に格納した後、初期判定手段による第１の記録媒体の判定を行い、当該第１の記録媒体が使用可能である場合には、第２の記録媒体に格納した画像データを第１の記録媒体に記憶することとしたので、初期判定の終了を待たずに撮影を行うことができ、電源を起動してから実際に記録動作が可能になるまでのタイムラグを低減することが可能となる。
【００６０】
また、請求項６にかかる発明によれば、請求項５に記載の発明において、初期判定手段により第１の記録媒体が使用不可能であると判定された場合には、第２の記録媒体に格納された画像データを保持することとしたので、請求項５に記載の発明の効果に加えて、ユーザが撮影機会を逃すことを防止できる。
【００６１】
また、請求項７にかかる発明によれば、請求項１〜６のいずれか一つに記載の発明において、第１の記録媒体はスマートメディアであることとしたので、請求項１〜請求項６のいずれか一つに記載の発明の効果に加えて、スマートメディアを使用することが可能となる。
【００６２】
また、請求項８にかかる発明によれば、請求項１、３〜６のいずれか一つに記載の発明において、第１の記録媒体はコンパクトフラッシュであることとしたので、請求項１、３〜６のいずれか一つに記載の発明の効果に加えて、スマートメディアを使用することが可能となる。
【図面の簡単な説明】
【図１】本発明にかかるデジタルカメラの構成を示す図である。
【図２】制御回路により実行される挿脱可能記録媒体の初期判定処理を説明するためのフローチャートである。
【図３】制御回路により実行される挿脱可能記録媒体の初期判定処理の他の例を説明するためのフローチャートである。
【図４】デジタルカメラの従来技術を説明するための図である。
【図５】デジタルカメラの従来技術を説明するための図である。
【符号の説明】
１００  デジタルカメラ
１０１  撮影レンズ
１０２  撮像素子
１０３  画像処理回路
１０４  制御回路
１０５  一時記憶メモリ
１０６  挿脱不可能記録媒体
１０７  挿脱可能記録媒体
１０８  表示部
１０９  記録媒体指示部材
１１０  撮像動作開始指示部材
１１１  電源オン指示部材
【図１】
0003866889.tif 000002
【図２】
0003866889.tif 000003
【図３】
0003866889.tif 000004
【図４】
0003866889.tif 000005
【図５】
0003866889.tif 000006